(57)【要約】【課題】電気回路基板に接続したケーブルを同電気回路基板を収容した筺体に遊動を規制して取り付けること【解決手段】  内部に電気回路基板３０を収納した筺体本体１０と底カバー２０からなる筺体であって、前記底カバー２０に前記電気回路基板３０に実装された回路のコネクタ端子３４に接続された複数のケーブル４０を挿通するケーブル挿通溝２８を設け、該ケーブル挿通溝２８に対して上記ケーブル４０を前記底カバー２０の外部から導入するためのガイド溝２６を上記ケーブル挿通溝２８と連通して一体に形成し、かつ前記ガイド溝２６の外側の角部２５を円弧状に形成した。【選択図】  図３
2008251994.tif 000002
【特許請求の範囲】
【請求項１】
内部に電気回路基板を収納した筺体本体とカバー体からなる筺体であって、
前記カバー体に前記電気回路基板に接続された複数のケーブルを挿通するケーブル挿通溝を設け、該ケーブル挿通溝に対して上記ケーブルを前記カバー体の外部から導入するためのガイド溝を上記ケーブル挿通溝と連通するように一体に形成し、かつ前記ガイド溝の外側の角を円弧状に形成したことを特徴とする筺体。
【請求項２】
請求項１に記載された筺体において、
前記ケーブル挿通溝の筺体外部側の開口部を筺体内部側の開口部より小さくして、収納された電気回路基板に接続された前記複数のケーブルに作用する外力を前記筺体外部側の開口端部で支持して、前記電気回路基板の接続部に伝達するのを防止することを特徴とする筺体。
【請求項３】
請求項１又は２に記載された筺体において、
前記ケーブル挿通溝の少なくとも前記ガイド溝側と反対側に前記ケーブルの電荷除去用壁部が形成されていることを特徴とする筺体。
【発明の詳細な説明】
【技術分野】
【０００１】
本発明は、内部に電気回路基板を収納すると共に電気回路基板に接続された複数のケーブルを外部に導出するケーブル挿通溝を備えた筺体に関する。
【背景技術】
【０００２】
電気機器等において、筺体に収容した制御部などの電気回路基板と、被制御機器とをケーブルで接続したものは、例えば、ドアセンサーとそのドアエンジン制御部のように、身近にごく普通に存在しているが、筺体からケーブルを取り出した場合、ケーブルをフリーの状態にしておくと、ケーブルに思わぬ外力が作用し易くなり、ケーブルに引っ張り力が作用すると、それがケーブルと電気回路基板との接合部に直接作用してケーブルが電気回路基板から外れる虞がある。
【０００３】
そのため、従来から、ケーブルがフリーの状態にならないように拘束し、かつ例えば、ケーブル等に引っ張り力が働いた場合でも、引っ張り力で電気回路基板とケーブル等との接続部が外れたり、変形したり或いは電気回路基板パターンが剥がれないように、ケーブル等を電気回路基板に取り付けられた結束バンドや針金等の手段により電気回路基板に掛け止めしておくことが行われている。
【０００４】
例えば、電気回路基板のコネクタに接続されたケーブルを結束バンドで電気回路基板に掛止したものが知られている。この構成では、ケーブルが結束バンドで電気回路基板に掛止されるため、ケーブルに引っ張り力が働いても、引っ張り力は電気回路基板に取り付けた結束バンドで受け止めることができ、電気回路基板のコネクタ接続部には及ばない。
【０００５】
しかし、この構成では結束バンドを電気回路基板に設けた孔に通し、結束バンドをまず電気回路基板に取り付けてから、その結束バンドでケーブルを結束するから、電気回路基板とケーブルとの組み立て作業に手間が掛かるだけではなく、電気回路基板の修理等でケーブルを電気回路基板から取り外す場合には、結束バンド等を解くか、切断しなければならず、修理等の手間も掛かる。またその度毎に、新たに結束バンド等を用意してケーブルを電気回路基板に掛止しなければならない。また、電気回路基板に孔を設けておく必要がありその分電気回路基板の実効面積が減少する。
【０００６】
また、別の例として、電気回路基板に針金を半田付けしておき、その針金をケーブルに巻き付けて、ケーブルを結束しかつ掛止したものも知られている。この構成では、ケーブルに作用する引っ張り力は電気回路基板に取り付けた結束バンドで受け止めることができるから、電気回路基板のコネクタ接続部に及ぶことはない。
【０００７】
しかし、この構成でも、針金を電気回路基板に半田付けしたり、針金をケーブルに巻き付けたりするため、電気回路基板とケーブルとの組み立て作業は煩雑である。
また、修理等において、ケーブルを電気回路基板から取り外すときは、ケーブルに巻き付けた針金を解いてからケーブルを取り外さねばならず、また、再度組み立てる際にも針金をケーブルに巻き付け直す必要があり、修理等の手間が掛かるという問題がある。
【０００８】
そこで、図５に示すように、結束バンドや針金等を用いることなく、ケーブルを電気回路基板へ容易に挿入、掛止および取り外しができるように、ケーブル１０２を取り付けた電気回路基板１０１縁部に切り欠き部１０６を設け、この切り欠き部１０６と連続する透孔部１０５を一体に設け、ケーブル１０２を切り欠き部１０６から透孔部１０５内に導入し、透孔部１０５の角部１０７に引っ掛けて係止するようにした電気回路基板が知られている（特許文献１参照）。
【０００９】
この電気回路基板では、ケーブル１０２を掛止することで、結束具を用いずにケーブル１０２を電気回路基板１０１に固定することができる。
しかしながら、このケーブルの掛止構造では、電気回路基板１０１の一部に切り欠き部１０６や透孔部１０５を設けるため、電気回路基板１０１の実装面積がその分犠牲になる。そのため、同じ回路を取り付ける場合に、その分電気回路基板１０１を大きくする必要があり、その結果、電気回路基板１０１を収納する筺体も少なくともその分大きくしなければならない。
【特許文献１】特開平８−２３６８７５号公報
【発明の開示】
【発明が解決しようとする課題】
【００１０】
本発明の目的は、ケーブルが筺体に取り付け易く、かつ一旦取り付けたときには外れ難く、しかも、従来のようにケーブル用の電気回路基板に対する結束具や、電気回路基板にケーブルを掛止する掛止部を設けることがなく、ケーブルに外力が作用してもその外力がケーブルの電気回路基板との接合部に作用するのを防止することである。
また、他の目的は、ケーブルに静電気が発生しても、その静電気が電気回路基板に影響を与えないようにすることである。
【課題を解決するための手段】
【００１１】
請求項１の発明は、内部に電気回路基板を収納した筺体本体とカバー体からなる筺体であって、前記カバー体に前記電気回路基板に接続された複数のケーブルを挿通するケーブル挿通溝を設け、該ケーブル挿通溝に対して上記ケーブルを前記カバー体の外部から導入するためのガイド溝を上記ケーブル挿通溝と連通するように一体に形成し、かつ前記ガイド溝の外側の角を円弧状に形成したことを特徴とする。
請求項２の発明は、請求項１に記載された筺体において、前記ケーブル挿通溝の筺体外部側の開口部を筺体内部側の開口部より小さくして、収納された電気回路基板に接続された前記複数のケーブルに作用する外力を前記筺体外部側の開口端部で支持して、前記電気回路基板の接続部に伝達するのを防止することを特徴とする。
請求項３の発明は、請求項１又は２に記載された筺体において、前記ケーブル挿通溝の少なくとも前記ガイド溝側と反対側に前記ケーブルの電荷除去用壁部が形成されていることを特徴とする。
【００１２】
本願発明は以上の構成から成るから、筺体に収納した電気回路基板に等ピッチで設けたコネクタに一端を接続した複数のケーブルを、上記筺体のカバー体である底カバーの側壁に設けたガイド溝に対して一列に挿入していき、全てのケーブルがそのガイド溝に挿入された状態で、底カバーとケーブルとを相対回転させながら、上記ガイド溝からそれに続くケーブル挿通溝に向かって方向転換させながら挿入していく。
このようにすることで、予め筺体本体に収納した電気回路基板に接続した複数のケーブルを筺体の底カバーのケーブル挿通溝に挿入し、その後、筺体本体と底カバーとを組み合わせることで、内部に収納した電気回路基板に接続した複数のケーブルを筺体から外に引き出した状態で筺体を組み立てることができる。
【発明の効果】
【００１３】
本発明によれば、電気回路基板に接続された複数のケーブルを筺体の底カバーのケーブル挿通溝に入れ易くかつ一旦挿通したケーブルは外れ難くすることができる。また、筺体の外側の引き出し口は筺体内部側よりも狭く形成されているから、ケーブルに外力が作用してもこの狭くなった開口部で外力を支持して、ケーブルに外力が作用してもその外力がケーブルの電気回路基板との接合部に作用するのを防止することができる。また、ケーブル挿通溝の開口部が筺体の内部側が外側面よりも広くなっているため、ケーブル束を筺体に取り付けたとき、電気回路基板側に接続されたケーブルの接続部に負荷（引っ張り力）が掛かるのを防止することができる。更に、ケーブル挿通溝に対向して筺体に壁面を形成したことにより、ケーブルに発生した静電気を壁面に逃がし、静電気が電気回路基板に落ちることを防止することができる。
【発明を実施するための最良の形態】
【００１４】
本発明の筺体に収納した電気回路基板に接続した複数のケーブルを取り付けた筺体について、その一実施形態を添付図面を参照して説明する。
図１は、本実施形態に係る電気回路を収納した筺体、例えば、赤外線センサ用電気回路を収容する筺体の裏面からみた斜視図である。図２は、図１の分解斜視図である。
筺体１は、図２に示すように、略矩形の容器状の筺体本体１０と、筺体本体１０と組み合わさって筺体１を構成する筺体本体１０の底カバー２０とからなり、筺体本体１０中には電気回路基板３０が収納される。
【００１５】
筺体本体１０は、略矩形の上面１２の四周に沿って立設された側壁１４で囲った例えば合成樹脂製の箱形容器であって、壁面１４の下側（図２では上側）の端部は、筺体本体１０の底カバー２０の同様の周壁端部が嵌合する段部１６が形成されており、筺体本体１０と底カバー２０を嵌合して一体化して、電気回路基板３０を収容した筺体１が構成される。
本実施形態では、電気回路基板３０には赤外線センサー用の赤外線の発信回路、受信回路などからなる電気回路３２が実装されている。この電気回路基板３０の図２の中央部左下側には、電気回路３２と、図示しないケーブルとを接続するための複数のコネクタ端子３４が所定ピッチで一列に並んで配置されている。
【００１６】
筺体本体１０の底カバー２０は、例えば略矩形の底面２２の四周に沿って底面２２から直立した周壁２４で覆った略矩形の筺体本体１０よりも底浅の容器状をなし、例えば合成樹脂で一体成型されている。その周壁２４の一部の側壁２４ａには、筺体本体１０の内部に収容される電気回路基板３０のコネクタ端子３４に一端が接続された複数のケーブル４０を、外側から一列縦隊で挿入するためのスリット状のガイド溝２６が設けられている。
また、底カバー２０の底面２２には、このガイド溝２６と連通するケーブル４０を収容するケーブル挿通溝２８が設けられている。
【００１７】
図３Ａは、筺体本体１０側から見た筺体１の平面図であり、図３Ｂはその一部を拡大して示した図である。
図３Ｂの一部拡大平面図から明らかなように、ガイド溝２６の外側端縁部の角部２５は、組立時に筺体本体１０中に上記ケーブル４０を導入し易くするため滑らかな円弧状断面に形成されている。
ガイド溝２６の幅は、ケーブル４０が一列縦隊で容易に通過しかつ上記ケーブル挿通溝２８へ導入できればよく、その幅が広すぎると、ケーブル４０を上記ケーブル挿通溝２８に収納した後に容易にガイド溝２６から外に出やすくなるため、ケーブル挿通溝２８に収納したケーブルが安定しなくなる。
【００１８】
上記底カバー２０の底面２２には、ガイド溝２６に対してその長手方向中央部で連通し、これと直交する方向に延びたケーブル挿通溝２８が一体に形成されている。このケーブル挿通溝２８の周囲は、上記底カバー２０のガイド溝２６を設けた側壁２４ａを除く三方を囲む壁体２９が上記側壁２４ａ及び底面２２から一体に立設されて、全体として内部が上記ケーブル挿通溝２８となる細長い断面略矩形の筒状体を形成している。つまり、上記側壁２４ａと上記壁体２９から成る細長い筒状体がケーブル挿通溝２８を構成している。
【００１９】
ここで、ケーブル挿通溝２８は、既に述べたように、細長い筒状体の内側の空間として形成されており、そのケーブル挿通溝２８の筺体本体１０側の開口部２８ａは、図３Ｂに示すように、底カバー２０の底面側に開口する開口部２８ｂよりも長く形成されている。
これは、ケーブル挿通溝２８の筺体本体１０側の開口部２８ａでは、電気回路基板３０のコネクタ端子３４に所定のピッチで取り付けられた複数のケーブル４０が互いに一定間隔に無理なく広がることができるようにし、他方、筺体１の底面２２側では、ケーブル４０との間にあまり間隔ができないようにして、ケーブル４０に外力が作用したときは、ケーブル４０が上記ケーブル挿通溝２８の開口部２８ｂの縁に当接してその縁で外力を容易に受け止めることができるようにするためである。
【００２０】
以上の構成により、ガイド溝２６からケーブル挿通溝２８内にケーブル４０を取り付けるときに、筺体本体１０側の広い開口部２８ａを利用してケーブル４０と底カバー２０とを捻るように回転させてケーブル挿通溝２８に収納する。
【００２１】
図４は、電気回路基板３０のコネクタ端子３４に接続されるケーブルの１例を示す図である。
ケーブル４０は、図示のようにそれぞれ一端部にはコネクタ端子３４との接合端子となるコネクタ４２が取り付けられており、他端部は、外部機器、ここではドアエンジンの制御回路（図示せず）のコネクタ端子に接続するための接合端子４４が取り付けられている。また、取り扱いに便利なようにその中間部、つまり、ガイド溝２６やケーブル挿通溝２８に挿入される部分はカバー４６で一体に結束されている。
【００２２】
以上の構成において、本筺体１を組み立てるときは、まず、筺体本体１０中に電気回路基板３０を配置する。その後この電気回路基板３０に接続されたケーブル４０を掴んで、上記底カバー２０のガイド溝２６から一列縦隊で挿入しつつ、底カバー２０とケーブル４０とを相対回転させて、ケーブル挿通溝２８に達したケーブル４０を図３中で上方に約９０°捻るように屈曲させて、ガイド溝２６から順次ケーブル挿通溝２８に導入していく。
【００２３】
ケーブルをケーブル挿通溝２８中に収納することにより、ケーブル自体が前記ガイド溝２６との連通口２７を塞ぎ、ケーブルが多少ずれてもガイド溝２６を通って外れることはない。
このようにしてケーブル４０が底カバー２０のケーブル挿通溝２８に収納されたら、最後に底カバー２０を筺体本体１０に嵌合して一体化する。
【００２４】
ケーブル４０は、ケーブル挿通溝２８内等で動くときに静電気が発生することがあるが、本実施形態では、ケーブル４０のケーブル挿通溝２８の周りには壁体２９が存在しおり、ケーブル４０のケーブル挿通溝２８内でケーブルが動くときは常に壁体２９と接触することとなるため、ケーブル４０に発生した静電気は、壁体２９の電荷除去機能により除去され、電気回路基板３０に落ちる（放電する）ことはない。
なお、以上の実施形態の説明は本発明のカバー体が底カバーであるとして説明したが、必ずしも底カバーに限定されず上カバーであってもよい。
【００２５】
本実施形態では、ケーブル４０を底カバー２０のケーブル挿通溝２８に挿入するだけの簡単な操作でケーブル４０を筺体１に取り付けることができ、かつ筺体本体１０内部の開口部２８ａ側では、各ケーブル４０間隔が所定ピッチで並んだコネクタ端子３４位置に合わせて自由に拡張可能であるから、コネクタ端子３４の接合部に引っ張り力が作用することがなく、他方、ケーブル４０の引き出し側である底カバー２０の開口部２８ｂ側では、開口部２８ｂが小さいのでケーブルの遊動が抑制されると共に、外力が作用したときに開口部２８ｂの縁でその外力が支持されるから、外力が直接ケーブルの電気回路基板３０との接合部に作用することが防止される。
したがって、従来のように電気回路基板に固定するための拘束具を用いず、しかも、電気回路基板の面積を犠牲にすることなく、また、電気回路基板とケーブルとの接合部に引っ張り力を作用させることなくケーブルの抜けを防止することができる。
本実施形態によれば、従来のように電気回路基板の面積を犠牲にすることがないから、同じ有効面積を得るための電気回路基板を小型化できるため、筺体自体も小型化できる。
【図面の簡単な説明】
【００２６】
【図１】本実施形態に係る電気回路を収納した筺体の裏面からみた斜視図である。
【図２】図１に示す筺体の分解斜視図である。
【図３】図３Ａは、筺体本体側から見た筺体の平面図であり、図３Ｂはその一部を拡大して示した図である。
【図４】ケーブルを示す平面図である。
【図５】従来のケーブルの結束手段を示す平面図である。
【符号の説明】
【００２７】
１・・・筺体、１０・・・筺体本体、２０・・・底カバー、２６・・・ガイド溝、２８・・・ケーブル挿通溝、２９・・・壁体、３０・・・電気回路基板、３４・・・コネクタ端子、４０・・・ケーブル。
【図１】
2008251994.tif 000003
【図２】
2008251994.tif 000004
【図３】
2008251994.tif 000005
【図４】
2008251994.tif 000006
【図５】
2008251994.tif 000007